(57)【要約】  【課題】  表示パネルの脱着が容易で、かつ表示パネルを取り外した際不用意に落下することがない表示装置を提供する。  【解決手段】  マグネット８により表示パネル５が着脱自在に取り付けられた表示パネル取り付け部２ａの近傍に、表示パネル５の裏側に隙間９を形成する表示パネル取り外し部２ｃを設け、かつ表示パネル取り外し部２ｃの底面に表示パネル５を吸着する磁性体１０またはマグネット８を設けたもので、表示パネル５を取り外すべく表示パネル取り外し部２ｃの近傍を押圧すると、表示パネル取り外し部２ｃに設けられたマグネット８または磁性体１０が表示パネル５を吸着して表示パネル５を保持するため、表示パネル５が不用意に落下することがない上、表示パネル５の脱着が容易に行える。【選択図】  図５
2005173200.tif 000002
【特許請求の範囲】
【請求項１】
筐体の前面に設けられた前面パネルと、前記前面パネルに設けられた表示パネル取り付け部に着脱自在に取り付けられた表示パネルとを有する表示装置であって、前記表示パネル取り付け部及び前記表示パネルの一方側に設けられたマグネットと、前記表示パネル取り付け部及び前記表示パネルの他方側に設けられ、かつ前記マグネットに吸着自在な磁性体と、前記他方側の表示パネル取り付け部の近傍に設けられ、かつ前記表示パネルの裏側に隙間を形成する表示パネル取り外し部と、前記表示パネル取り外し部の底面に設けられ、前記表示パネルに設けられた磁性体またはマグネットを吸着するマグネットまたは磁性体とを具備したことを特徴とする表示装置。
【請求項２】
前記表示パネル取り外し部は、前記表示パネル取り付け部より離間するに従い深く傾斜する傾斜面、または段差により形成してなる請求項１に記載の表示装置。
【請求項３】
前記マグネットをシート状マグネットにより形成し、前記磁性体を金属薄板により形成してなる請求項１または２に記載の表示装置。
【請求項４】
前記マグネット及び前記磁性体を、互いに吸着するシート状マグネットにより形成してなる請求項１または２に記載の表示装置。
【発明の詳細な説明】
【技術分野】
【０００１】
本発明は、主として壁面に取り付けて使用する電子機器等の表示装置に関する。
【背景技術】
【０００２】
従来、壁面に取り付けて使用する電子機器の多くは、筺体の表面に表示パネルを備えており、表示パネルには液晶表示器等によりなる表示手段や、操作ボタン、操作ボタンの名称や操作手順を表示する表示部等が設けられている。
【０００３】
またホームオートメーション（ＨＡ）に使用するコントローラのような電子機器の場合、制御する電気機器の数や種類によって操作ボタンの名称や操作手順の変更を行う必要から、筺体に対して表示パネルが取り外せるようにしたものがあり、また表示パネルが筺体に対して簡単に脱着できる取り付け構造として、例えば特許文献１や２に記載されたものが公知である。
【特許文献１】実開昭５７−１５５５６２号公報
【特許文献２】実開昭６１−９９８７１号公報。
【０００４】
前記特許文献１に記載された銘柄板取り付け構造は、本体パネルに設けられた永久磁石に、磁性体よりなる銘柄板を吸着させると共に、本体パネルの銘柄板を取り付ける周囲に、本体パネルに対し銘柄板を位置決めするガイド溝と、銘柄板を取り外すための指掛け段差を設けたもので、本体パネルに対して銘柄板の取り付け及び取り外しが容易に行えるようになっている。
【０００５】
また特許文献２に記載された表面パネルの取り付け構造は、磁性体上よりなるパネル受けに対して磁力により吸着できるように、表示パネルの裏面に下部を残してシート状マグネットを貼付したもので、パネル受けに対して表示パネルを取り外す場合は、表示パネルの下部を指で押すことにより、表示パネルの上部が手前側へ出てくるため容易に表示パネルが取り外されるようになっている。
【発明の開示】
【発明が解決しようとする課題】
【０００６】
しかし前記特許文献１に記載された銘柄板の取り付け構造のように、銘柄板を取り外すための指掛け段差を設けたものでは、指掛け段差が表示パネルの表面に露出するため、表示パネルの外観を損ねると共に、長期使用している間に指掛け段差に溜まった塵埃が表示パネルを取り外す際に指に付着するため、不衛生である等の問題がある。
【０００７】
また前記特許文献２に記載された表面パネルの取り付け構造では、表示パネルの下部を指で押すと、表示パネルの裏面に貼付されたシート状マグネットがパネル受けより離れてしまうため、吸着力が消失して表示パネルが落下する虞があると共に、シート状マグネットに厚みがないと表示パネルの下部を押しても表示パネルを取り外すことができないため厚手のシート状マグネットを使用する必要があり、コストが嵩む等の問題がある。
【０００８】
一方筐体に対して表示パネルをスライド自在に取り付けたり、ピンにより回動自在に取り付ける方法もあるが、表示パネルをスライド式にした場合、スライドする方向に別の電子機器を並べて設置できなくなることや、表示パネルをピンにより回動自在に筺体に取り付けた場合、全体の奥行きが大きくなって電子機器を薄型にできないため、壁面に取り付けた際邪魔になるほか、平面でなくなるために裏面にシルク印刷等を施すことが難しくなる等の問題がある。
【０００９】
本発明はかかる従来の問題を改善するためになされたもので、表示パネルの脱着が容易で、かつ表示パネルを取り外した際不用意に落下することがない電子機器の表示パネル取り付け構造を提供することを目的とするものである。
【課題を解決するための手段】
【００１０】
本発明の表示装置は、筐体の前面に設けられた前面パネルと、前面パネルに設けられた表示パネル取り付け部に着脱自在に取り付けられた表示パネルとを有する表示装置であって、表示パネル取り付け部及び表示パネルの一方側に設けられたマグネットと、表示パネル取り付け部及び表示パネルの他方側に設けられ、かつマグネットに吸着自在な磁性体と、他方側の表示パネル取り付け部の近傍に設けられ、かつ表示パネルの裏側に隙間を形成する表示パネル取り外し部と、表示パネル取り外し部の底面に設けられ、前記表示パネルに設けられた磁性体またはマグネットを吸着するマグネットまたは磁性体とから構成したものである。
【００１１】
前記構成により、表示パネルを取り外すべく表示パネル取り外し部の近傍を押圧すると、表示パネルを吸着しているマグネットと磁性体が離間すると同時に、表示パネル取り外し部に設けられたマグネットと磁性体が互いに吸着して表示パネルを保持することから、表示パネルが不用意に落下することがないため、表示パネルの脱着が容易に行えると共に、表示パネルの周辺に指掛け段差を形成する必要がないため、表示パネルの外観も向上する。
【００１２】
本発明の表示装置は、表示パネル取り外し部を、表示パネル取り付け部より離間するに従い深く傾斜する傾斜面、または段差により形成したものである。
【００１３】
前記構成により、前面パネルを成形する際表示パネル取り外し部も同時に成形できるため、表示パネル取り外し部を容易に形成できると共に、表示パネル取り外し部を設けたことによる電子機器のコストアップを防ぐことができる。
【００１４】
本発明の表示装置は、マグネットをシート状マグネットにより形成し、磁性体を金属薄板により形成したものである。
【００１５】
前記構成により、表示パネルと筐体の取り付け部を薄くできるため、電子機器の薄型化が可能となり、これによって電子機器を壁面に取り付けても邪魔になることが少ない。
【００１６】
本発明の表示装置は、マグネット及び磁性体を、互いに吸着するシート状マグネットにより形成したものである。
【００１７】
前記構成により、表示パネルと筐体の取り付け部を薄くできるため、電子機器の薄型化が可能となり、これによって電子機器を壁面に取り付けても邪魔になることが少ない上、吸着力が増すため、電子機器の使用中に表示パネルが脱落する心配もない。
【発明の効果】
【００１８】
本発明の表示装置によれば、表示パネルを脱着する際表示パネルが不用意に落下することがないため、表示パネルの脱着が容易に行えると共に、表示パネルの周辺に指掛け段差を形成する必要がないため、表示パネルの外観も向上する。
【発明を実施するための最良の形態】
【００１９】
本発明を、ＨＡシステムに使用するコントローラのような電子機器の表示パネルに実施した実施の形態について詳述する。
【００２０】
図１は電子機器の正面図、図２は表示パネルを取り外した状態の電子機器の正面図、図３は表示パネルの裏面図、図４は図１のＡ−Ａ線に沿う断面図、図５は作用説明図である。
【００２１】
電子機器の筐体１は、図４に示すように前面が開口した偏平な箱状に形成されていて、壁面に取り付けて使用できるようになっている。
【００２２】
筐体１には、前面パネル２が取り付けられており、筐体１と前面パネル２の内部には、ＨＡを構成する家庭用電気機器、例えばエアコンディショナや照明器具、風呂釜等を電気的に制御する制御手段（図示せず）が実装されており、筐体１の裏面には、これら家庭用電気機器と制御手段をケーブル（図示せず）で接続するための接続端子群３が取り付けられている。
【００２３】
筐体１に取り付けられた前面パネル２には、各電気機器の動作状態や各種の情報を表示する液晶表示器よりなる表示手段４と表示パネル５及び操作ボタン群６等が設けられている。
【００２４】
前面パネル２の表示パネル取り付け位置には、表示パネル５よりやや大きい凹入部よりなる表示パネル取り付け部２ａが形成されていて、この表示パネル取り付け部２ａの底面に、電子機器に接続された家庭用電気機器の名称や機種等を表示したラベル７を取り付けるための凹入部２ｂが上下方向に間隔を存して複数個、例えば４個設けられており、これら凹入部２ｂ内には、例えばエアコンディショナ、照明器具、お風呂等を表示したラベル７が差し換え自在に取り付けられている。
【００２５】
表示パネル取り付け部２ａの下部には、表示パネル取り付け部２ａの底面より一段低くなった傾斜面や段部よりなる表示パネル取り外し部２ｃが形成されている。
【００２６】
表示パネル取り外し部２ｃが傾斜面の場合は、上部側より下部側が深くなるよう傾斜されていて、表示パネル取り付け部２ａの幅一杯に形成されており、表示パネル取り外し部２ｃの傾斜面と、表示パネル取り付け部２ａの底面両側にシート状マグネット８が接着等の手段で固着されている。
【００２７】
シート状マグネット８はフィルム状の薄いシートにより形成されていて、表示パネル取り外し部２ｃの傾斜面に取り付けられたシート状マグネット８ａは、上部が表示パネル取り付け部２ａの底部とほぼ等しくなっており、下部はこれより低くなっていて、表示パネル取り付け部２ａに取り付けられた表示パネル５の裏面との間に図４に示すようにクサビ状の隙間９が生じるようになっている。
【００２８】
表示パネル取り付け部２ａの底部両側に設けられたシート状マグネット８ｂは、ラベル７を取り付ける凹部２ｂの両側に位置するよう表示パネル取り付け部２ａの底面に形成された縦方向に細長い取り付け溝２ｄ内に接着等の手段で固着されていて、上面は表示パネル取り付け部２ａ底面とほぼ同一平面となっており、表示パネル取り付け部２ａに嵌合された表示パネル５を吸着するようになっている。
【００２９】
表示パネル５は樹脂により板状に形成されていて、表示パネル取り付け部２ａの凹部２ｂと合致する位置に透明な表示窓５ａが複数個、例えば４個形成されていて、凹部２ｂに取り付けられたラベル７の表示が各表示窓５ａより見えるようになっており、表示パネル５の下部前面には、押圧位置を示す押圧部５ｂが複数の突起を突設することにより形成されている。
【００３０】
また表示パネル５の表示窓５ａ以外の部分は、シルク印刷等を施すことにより不透明となっていて、この不透明な部分の裏面にシート状の磁性体１０が接着等の手段で固着されている。
【００３１】
磁性体１０は鉄等の金属薄板を表示パネル取り付け部２ａの底面や表示パネル取り外し部に固着されたシート状マグネット８ａ，８ｂとほぼ同じ大きさに切断することにより形成したもので、マグネット８ａ，８ｂと対向するよう表示パネル５の裏面に固着されている。
【００３２】
一方前面パネル２には、表示パネル５に設けられた表示窓５ａに隣接する位置に操作ボタン群６が設けられている。
【００３３】
操作ボタン群６は複数、例えば４個の押しボタン６ａ，６ｂ，６ｃ，６ｄより構成されていて、各押しボタン６ａ〜６ｄに数字が表示され、これら押しボタン６ａ〜６ｄにより電子機器に接続されている家庭用電気機器の電源をオン、オフできるようになっている。
【００３４】
次に前記構成された表示装置の作用を、図５を参照して説明する。
【００３５】
ＨＡにより家庭用電気機器を集中制御するに当っては、予め配線したケーブルにより家庭用電気機器と電子機器（コントローラ）を接続し、接続が完了したら、筐体１を壁面の操作しやすい位置に適宜手段で取り付ける。
【００３６】
筐体１の前面パネル２には、表示パネル５が取り付けられていて、表示パネル５の表示窓５ａからは、表示パネル取り付け部２ａの凹部２ｂに予め取り付けられたラベル７に、コントローラに接続した家庭用電気機器の名称や機種等が記入できるようになっているので、まず前面パネル２より表示パネル５を取り外す。
【００３７】
表示パネル５は、表示パネル取り付け部２ａの底面に設けられたシート状マグネット８により磁気的に吸着されているが、取り外しに当っては、表示パネル５の下部に設けられた押圧部５ｂを指で押圧する。
【００３８】
表示パネル５の下部は、順次下方へ深く傾斜する傾斜面よりなる表示パネル取り外し部２ｃに位置しているので、表示パネル５の下部を押圧すると図５に示すように、表示パネル取り付け部２ａの底面と表示パネル取り外し部２ｃの傾斜面の境界を支点に表示パネル５の上部側が手前側に回動して、表示パネル５の裏面に設けられた磁性体１０が表示パネル取り付け部２ａの底面に設けられたシート状マグネット８ｂより浮き上がると同時に、表示パネル５の下部側裏面に設けられた磁性体１０が表示パネル取り外し部２ｃの傾斜面に設けられたシート状マグネット８ａに吸着される。
【００３９】
これによってシート状マグネット８ｂより表示パネル５が浮き上がっても、表示パネル５が不用意に落下することがない。
【００４０】
以上の操作により表示パネル５が図５に示す状態になったら、表示パネル５の上部を手前に引いて前面パネル２より引き離すことにより、前面パネル２より表示パネル５が簡単に取り外せるので、この状態で、各電気機器の名称や機種等を記入したラベル７を表示パネル取り付け部２ａの凹部２ｂへ取り付ける。
【００４１】
そしてラベル７の取り付けが終了したら、表示パネル取り付け部２ａへ表示パネル５を取り外し時と逆の操作で取り付けて使用するもので、前面パネル２に対して表示パネル５が容易に脱着できるため、表示窓５ａに表示される電気機器の名称や機種等の変更が簡単に行えるようになる。
【００４２】
なお前記実施の形態では、前面パネル２の表示パネル取り付け部２ａ側にシート状マグネット８を、そして表示パネル５側に磁性体を設けたが、逆でも勿論よい。
【００４３】
また表示パネル５を金属板等の磁性材料で形成するか、前面パネル２を磁性材料で形成すれば、表示パネル５や前面パネル２にシート状の磁性体を取り付ける必要がない。
【００４４】
さらに前記実施の形態では、表示パネル取り外し部２ｃを、表示パネル取り付け部２ａの下部に設けたが、上部に設けても、側部に設けても同様な効果が得られると共に、表示パネル取り外し部２ｃは、傾斜面に限らず、表示パネル取り付け部２ａの底面に対して段差を有する段部でよく、この場合段部の底面シート状マグネット８ｂを取り付ければよい。
【産業上の利用可能性】
【００４５】
本発明の表示装置は、表示パネルを脱着する際、表示パネルが不用意に落下することがなく、表示パネルの脱着が容易に行えると共に、表示パネルの周辺に指掛け段差を形成する必要がなく、表示パネルの外観向上に寄与することから、ＨＡのような主として壁面に取り付けて使用する電子機器に限らず、着脱自在な表示パネルを有する電子機器全般に適用できる。
【図面の簡単な説明】
【００４６】
【図１】本発明の実施の形態になる表示装置を採用した電子機器の正面図
【図２】本発明の実施の形態になる表示装置を採用した電子機器の表示パネルを取り外した状態の正面図
【図３】本発明の実施の形態になる電子機器の表示装置に使用する表示時パネルの拡大裏面図
【図４】図１のＡ−Ａ線に沿う断面図
【図５】本発明の実施の形態になる電子機器の表示装置の作用説明図
【符号の説明】
【００４７】
１      筐体
２      前面パネル
２ａ    表示パネル取り付け部
２ｃ    表示パネル取り外し部
５      表示パネル
８      マグネット
９      隙間
１０      磁性体
【図１】
2005173200.tif 000003
【図２】
2005173200.tif 000004
【図３】
2005173200.tif 000005
【図４】
2005173200.tif 000006
【図５】
2005173200.tif 000007